(57)【要約】【課題】本考案は足下面ラインの破損や表面汚れの発生を防止し、長期間に亘り足下面ラインの機能が発揮され、また目的事項の伝達を確実になされる手段を提供する。【解決手段】本考案の足下面ラインは、地色を形成する基礎ライン部と、前記基礎ライン部の上面に剥離可能に接着されるとともに表示部を設けた付着部材とを備える。また地色を形成する基礎ライン部と、前記基礎ライン部の上面を覆う被覆部材と、前記被覆部材の上面に剥離可能に接着されるとともに表示部を設けた付着部材とを備える。そして前記表示部が図形、記号、文字、宣伝広告を含む。【選択図】図１
0003133956.tif 000002
【実用新案登録請求の範囲】
【請求項１】
地色を形成する基礎ライン部と、前記基礎ライン部の上面に剥離可能に接着されるとともに表示部を設けた付着部材とを備える足下面ライン。
【請求項２】
地色を形成する基礎ライン部と、前記基礎ライン部の上面に剥離可能に接着されるとともに前記基礎ライン部を背景としかつ前記基礎ライン部の地色と異色の表示部を設けた付着部材とを備える足下面ライン。
【請求項３】
地色を形成する基礎ライン部と、前記基礎ライン部の上面を覆う被覆部材と、前記被覆部材の上面に剥離可能に接着されるとともに表示部を設けた付着部材とを備える足下面ライン。
【請求項４】
地色を形成する基礎ライン部と、前記基礎ライン部の上面を覆う透明素材の被覆部材と、前記被覆部材の上面に剥離可能に接着されるとともに前記基礎ライン部を背景としかつ前記基礎ライン部の地色と異色の表示部を設けた付着部材とを備える足下面ライン。
【請求項５】
前記表示部の端部に接着層を有しない摘み片を突設した請求項１，２，３又は４に記載の足下面ライン。
【請求項６】
前記基礎ライン部が駐車場において駐車スペースを区画する区画ラインであり、前記表示部が車の停車位置を指示する図形、記号、文字、図形を含む請求項１、２、３、４又は５に記載の足下面ライン。
【請求項７】
前記表示部が図形、記号、文字、宣伝広告を含む請求項１、２、３、４又は５に記載の足下面ライン。
【考案の詳細な説明】
【技術分野】
【０００１】本考案は、駐車場の駐車スペースを示す区画線など地面や床面に設けられる足下面ラインに関する。
【背景技術】
【０００２】地面や床面などの足下面には誘導、指示、確認、案内などの所定機能を有する一定幅の単色ラインが設けてある。例えば、駐車場では駐車スペースを確保するとともに駐車位置を確認するため、通常、地面に白色ペンキで一定幅の区画ラインが描いてある。しかしこの種ラインはむきだしのまま露出しており、屋外においては雨水などに曝され部分的な剥離、ひび割れ、破損などを生じ、また屋内においては長期使用による縁部の破損や除去困難な表面汚れを生ずるなどの問題がある。
【特許文献】特開平８−１６５８１５
【考案の開示】
【考案が解決しようとする課題】
【０００３】本考案は、このような破損や表面汚れの発生を防止し、長期間に亘り予定されている所定機能が確実に発揮される足下面ラインを提供する。また足下面ラインのもつ機能的特質に基づき、足下面ラインを利用して目的事項の伝達が確実になされる手段を提供する。
【課題を解決するための手段】
【０００４】上記課題を解決するため、本考案にかかる足下面ラインは、地色を形成する基礎ライン部と、前記基礎ライン部の上面に剥離可能に接着されるとともに表示部を設けた付着部材とを備える。【０００５】また地色を形成する基礎ライン部と、前記基礎ライン部の上面に剥離可能に接着されるとともに前記基礎ライン部を背景としかつ前記基礎ライン部の地色と異色の表示部を設けた付着部材とを備える。【０００６】また地色を形成する基礎ライン部と、前記基礎ライン部の上面を覆う被覆部材と、前記被覆部材の上面に剥離可能に接着されるとともに表示部を設けた付着部材とを備える。【０００７】また地色を形成する基礎ライン部と、前記基礎ライン部の上面を覆う透明素材の被覆部材と、前記被覆部材の上面に剥離可能に接着されるとともに前記基礎ライン部を背景としかつ前記基礎ライン部の地色と異色の表示部を設けた付着部材とを備える。【０００８】そして前記表示部の端部に接着層を有しない摘み片を突設した。また前記基礎ライン部が駐車場において駐車スペースを区画する区画ラインであり、前記表示部が車の停車位置を指示する図形、記号、文字、図形を含む。さらに前記表示部が図形、記号、文字、宣伝広告を含む。
【考案の効果】
【０００９】基礎ラインの上面の全体的あるいは部分的な被覆により、足下面ラインを構成する基礎ラインの破損やよごれなどを防止し、これにより足下面ラインの所定機能を長期に亘り確保することができる。また足下面ラインの表示部が図形、記号、文字、宣伝広告を含むことにより、誘導、指示、確認、案内など所定機能を有する足下面ラインの機能的特質から、足下面ラインの表示部が容易に目視されるとともに表示事項が確実に伝達される。
【考案を実施するための最良の形態】
【００１０】本考案を実施するための最良の形態について図面を参照して説明する。本考案にかかる足下面ラインは駐車場の駐車スペースを示す区画線など、地面（屋外）や床面（屋内）などの足下面に誘導、指示、確認、案内など所定機能を発揮するように目視可能に設けられる一定幅のラインである。足下面ラインの典型例として駐車場の駐車スペースを示す区画ラインがあり、以下、駐車場の区画ラインについて説明するが、これに限定されるものではない。【００１１】図１において、駐車場の駐車スペース１が区画ライン２により区画されている。区画ライン２は基礎ライン３を含み、基礎ライン３はコンクリート面（地面）５に白色のペンキで一定幅の帯状に描いてある。基礎ライン３は通常、白色のであるが、白色以外でもよく、複数色の組み合わせから構成することもできる。また基礎ライン３は通常ペンキで描出されるが、あらかじめ着色（着色の手段は問わない）された合成樹脂製などの帯状シート、テープをコンクリート面に固着したものでもよい。【００１２】図２、３に示される足下面ラインＡ（つまり区画ライン２）では基礎ライン３の上面に付着部材６が剥離可能に接着されている。付着部材６は合成樹脂製のシート、テープなどであり、下面に接着層７を有し、接着層７を介して基礎ライン３の上面に剥離可能に接着される。基礎ライン３の上面に接着される付着部材６の位置は任意であり、また表示部９の大きさも適宜に選択される。付着部材６の果たすべき保護機能の観点からは、基礎ライン３の上面全体を付着部材６で被覆する場合、角部を含む基礎ライン３の上面全体が保護される。また基礎ライン３上面の任意の一部を付着部材６で被覆する場合、例えば、角部を部分的に被覆するときは、比較的に損傷しやすい角部が保護される。【００１３】付着部材６は表示部９を有し、表示部９には印刷など適宜手段により記号、文字、図形などが表示される。駐車場の区画ライン２における停車位置を示す記号、図形、文字などである。例えば、印刷された赤色の矢印図形の表示部９であり、駐車スペースへの進入車１１に対して停止位置を指示するものである。すなわち、運転者は運転席の窓越しに矢印図形を目視するとともに、あらかじめ決められた矢印図形のもつ特定の意味（例えば、「停車」の意味）および進入車と矢印図形との位置的関係（例えば、車の前輪１３位置と矢印図形９との位置的な対応関係）から、所定の駐車位置を確認することができる。また駐車場番号１３などを表示し、駐車場所を確認できるようにしてもよい。【００１４】付着部材６の大きさが基礎ライン３より小さい場合、表示部９を含む付着部材６が基礎ライン３を背景として表示される。表示部９は基礎ライン部３の地色とは異色（例えば、赤色など）で表示するのがよい。また基礎ラインの地色と同様に、表示部も単色とするのが好ましいが、複数の色を組み合わせたものでもよい。いずれの場合も基礎ライン３の地色を背景として表示部９が明瞭に目視される。【００１５】付着部材６で基礎ライン３の上面全体を覆う場合であっても付着部材６が透明素材からなるときは、表示部９が基礎ライン３を背景として表示される。また付着部材６を非透明透明素材で形成することもできるが、その場合、基礎ライン３は付着部材６の背景とならない。付着部材６の端部には摘み片１２が設けてある。摘み片１２の下面には接着層がなく、従って摘み片１２は基礎ライン３に接着されない。そこで摘み片１１を指先で摘むことにより、接着されている付着部材６を基礎ライン３から容易に剥離できる一方、剥離後には基礎ライン３の上面に別の付着部材を接着することができる。【００１６】次に図４、５に示される他の構造の足下面ラインＢ（つまり区画ライン２）おいて、基礎ライン３、被覆部材１０、表示部９を有する付着部材６から構成されている。この場合、基礎ライン３と付着部材６は前記の足下面ラインＡと基本的に同じ構成である。従って、以下、同じ部材には同じ符号を付して説明するが、相違点は中間部材としての被覆部材１０を設けたことにある。すなわち、足下面ラインＢは、少なくとも、地色を形成する基礎ライン部３と、基礎ライン部３の上面を覆う被覆部材１０と、被覆部材１０の上面に剥離可能に接着される付着部材６とからなる。この場合さらに他の構成部材を付加するとも可能である（図示せず）。【００１７】被覆部材１０は帯状とし，基礎ライン３上面の全体を被覆するのが好ましい。被覆部材１０により基礎ライン３上面の全体が保護されるからである。基礎ライン３上面の任意の一部を被覆するときは、比較的破損しやすい角部などが部分的に保護される。被覆部材１０は下面に接着層７を有し、接着層７を介して被覆部材１０が基礎ライン３上面に接着される。下面に接着層を有しない被覆部材では小鋲などの他の固定手段を介して固定してもよい（図示せず）。【００１８】被覆部材１０の上面には表示部９を有する付着部材６が接着される。付着部材６の大きさは任意であるが、被覆部材１２より小さいのが好ましく、この場合、被覆部材１０上面の任意の一部に付着部材６が接着される。被覆部材１０が透明な合成樹脂製の帯状シート、テープなどの透明素材からなるとき、基礎ライン部３を背景として表示部９が表示される。また表示部９が基礎ライン部３の地色と異色のとき、表示部９は基礎ライン３の地色を背景として明瞭に目視される。付着部材６は被覆部材１０の上面に剥離可能に接着される。付着部材６の端部にある摘み片１１を指先で摘み、付着部材６を被覆部材１０から剥離し、また被覆部材１０に他の付着部材６を接着することができる。【００１９】表示部９における表示の内容、種類、方法、態様、手段などに制限はない。すなわち、表示部９は図形、符号、記号、文字、数字、模様による表示を含む。足下面ラインにおいては記号などの短い表示のみならず、文章やフレーズなど比較的に長い表示も可能である。そこで表示部には足下面ラインのもつ注意、指示、誘導などの関連表示のほか、これと全く関連のない他の事項、例えば、伝言、お知らせ、宣伝広告など、種々の表示が可能となる。そこで時間貸の駐車場の場合、各種店舗（百貨店、各種小売店、飲食店、パチンコ店、理美容店など）やその他企業の広告を表示部に表示し、新たな広告媒体として利用することができる。特に地元など限定された近隣地域における効率的な広告媒体として有効である。【００２０】また付着部材６は任意に剥離可能であるから、広告を印刷した表示部を有する付着部材６を適宜に貼りかえ、時間単位（日、週など）の表示媒体とすることもできる。足下面ラインは、本来、注意、指示など特定の機能を果たすよう設けられ、一般の注意を惹きやすいだけでなく比較的に近い位置で目視されるから、表示の内容が把握し認しやすい。このような足下面ラインの特質を活かし、情報の新しい伝達手段として活用できる。【００２１】なお表示部を蛍光塗料により表示すると、夜間でも表示が確認しやすくなる。
【図面の簡単な説明】
【００２２】
【図１】本考案にかかる足下面ラインである駐車場の区画ラインを示す平面図である。
【図２】基礎ラインと付着部材６からなる区画ライン（足下面ラインＡ）の拡大断面図である（断面位置は図８におけるＸ−Ｘ線参照）。
【図３】基礎ラインと付着部材６からなる区画ライン（足下面ラインＡ）の他の拡大断面図である（断面位置は図８におけるＹ−Ｙ線参照）。
【図４】基礎ライン、被覆部材、付着部材６からなる区画ライン（足下面ラインＢ）の拡大断面図である（断面位置は図８におけるＸ−Ｘ線参照）。
【図５】基礎ライン、被覆部材、付着部材６からなる区画ライン（足下面ラインＢ）の他の拡大断面図である（断面位置は図８におけるＹ−Ｙ線参照）。
【図６】矢印と番号を示す表示部の拡大平面図である。
【図７】広告の店名と場所を示す他の表示部の拡大平面図である。
【図８】足下面ラインにおける切断図の切断位置Ｘ−Ｘ線、Ｙ−Ｙ線を示す部分平面図である。
【符号の説明】
【００２３】  １  駐車スペース
２  区画ライン
３  基礎ライン
５  コンクリート面（地面）
６  付着部材
７  接着層
９  表示部
１０  被覆部材
１２  摘み片
Ａ、Ｂ  足下面ライン
【図１】
0003133956.tif 000003
【図２】
0003133956.tif 000004
【図３】
0003133956.tif 000005
【図４】
0003133956.tif 000006
【図５】
0003133956.tif 000007
【図６】
0003133956.tif 000008
【図７】
0003133956.tif 000009
【図８】
0003133956.tif 000010
【手続補正書】
【提出日】平成19年5月1日(2007.5.1)
【手続補正１】
【補正対象書類名】実用新案登録請求の範囲
【補正対象項目名】請求項１
【補正方法】変更
【補正の内容】
【請求項１】
地色を形成する基礎ライン部と、前記基礎ライン部の上面に接着層を介して剥離可能に接着されるとともに表示部を設けた付着部材とを備える足下面ライン。
【手続補正２】
【補正対象書類名】実用新案登録請求の範囲
【補正対象項目名】請求項２
【補正方法】変更
【補正の内容】
【請求項２】
地色を形成する基礎ライン部と、前記基礎ライン部の上面に接着層を介して剥離可能に接着されるとともに前記基礎ライン部を背景としかつ前記基礎ライン部の地色と異色の表示部を設けた付着部材とを備える足下面ライン。
【手続補正３】
【補正対象書類名】実用新案登録請求の範囲
【補正対象項目名】請求項３
【補正方法】変更
【補正の内容】
【請求項３】
地色を形成する基礎ライン部と、前記基礎ライン部の上面を覆う被覆部材と、前記被覆部材の上面に接着層を介して剥離可能に接着されるとともに表示部を設けた付着部材とを備える足下面ライン。
【手続補正４】
【補正対象書類名】実用新案登録請求の範囲
【補正対象項目名】請求項４
【補正方法】変更
【補正の内容】
【請求項４】
地色を形成する基礎ライン部と、前記基礎ライン部の上面を覆う透明素材の被覆部材と、前記被覆部材の上面に接着層を介して剥離可能に接着されるとともに前記基礎ライン部を背景としかつ前記基礎ライン部の地色と異色の表示部を設けた付着部材とを備える足下面ライン。
【手続補正５】
【補正対象書類名】明細書
【補正対象項目名】０００４
【補正方法】変更
【補正の内容】
【０００４】  上記課題を解決するため、本考案にかかる足下面ラインは、地色を形成する基礎ライン部と、前記基礎ライン部の上面に接着層を介して剥離可能に接着されるとともに表示部を設けた付着部材とを備える。
【手続補正６】
【補正対象書類名】明細書
【補正対象項目名】０００５
【補正方法】変更
【補正の内容】
【０００５】  また地色を形成する基礎ライン部と、前記基礎ライン部の上面に接着層を介して剥離可能に接着されるとともに前記基礎ライン部を背景としかつ前記基礎ライン部の地色と異色の表示部を設けた付着部材とを備える。
【手続補正７】
【補正対象書類名】明細書
【補正対象項目名】０００６
【補正方法】変更
【補正の内容】
【０００６】  また地色を形成する基礎ライン部と、前記基礎ライン部の上面を覆う被覆部材と、前記被覆部材の上面に接着層を介して剥離可能に接着されるとともに表示部を設けた付着部材とを備える。
【手続補正８】
【補正対象書類名】明細書
【補正対象項目名】０００７
【補正方法】変更
【補正の内容】
【０００７】  また地色を形成する基礎ライン部と、前記基礎ライン部の上面を覆う透明素材の被覆部材と、前記被覆部材の上面に接着層を介して剥離可能に接着されるとともに前記基礎ライン部を背景としかつ前記基礎ライン部の地色と異色の表示部を設けた付着部材とを備える。